(57)【要約】【課題】吸着性のある植物用培土であって、根腐りを起こし難く、しかも、植物が活着し易い植物用培土及び植物栽培方法を提供する。【解決手段】本願発明の植物栽培方法は、粒状のゼオライト１とフミン酸２とを配合してなる植物用培土を水抜き用穴を有しない透明ガラス製の植物栽培用容器１０に入れる。そして、その植物用培土に、植物３を植える。その後、イオン水に、腐植泥を搾って得た泥水を精製したミネラル等の含有した腐植泥精製水を配合したミネラルイオン水を付与する方法である。【選択図】  図１
2005269956.tif 000002
【特許請求の範囲】
【請求項１】
粒状のゼオライトと、フミン酸とを配合してなるものであることを特徴とする植物用培土。
【請求項２】
粒状のゼオライトとフミン酸とを配合してなる植物用培土に、植物を植えるとともに、イオン水を付与することを特徴とする植物栽培方法。
【発明の詳細な説明】
【技術分野】
【０００１】
本願発明は、植物を栽培するための植物用培土及び植物を栽培する植物栽培方法に関するものである。
【背景技術】
【０００２】
従来から、観葉植物等の植物を、室内で栽培することが広く行なわれている。この室内での栽培方法として、例えば底部に水抜き穴を有する素焼きからなる鉢に、肥料と共に土を入れ、その土に観葉植物等の植物を植える方法が知られている。そして、その植物の植えた鉢を水受け用の皿に置き、適宜水を与える。しかし、このようにして植えた植物に水をやると、水と共に土や肥料が水抜き穴から水受け用の皿に出て悪臭を放つとともに、室内の美観をも損なう。又、植物を鉢に移植した当初は、植物の根が弱っている場合が多く、根が弱っていると、根腐りを起こし易くなる。また、根が弱っていると、水を吸収し難く、しかも、土に含まれる有害な菌に犯され易い。その結果、枯れてしまう場合も多いという問題点がある。
【０００３】
一方、有害微生物を殺菌できる植物育成材が提案されている。この植物育成材は、陽イオン交換能の高い性質を有する焼成ゼオライト粒に、木材の生体系の細胞内の水分に含まれている木酢液を吸着させたものである。そして、この植物育成材を、土壌や水耕栽培液に混入することにより、土壌や水耕栽培液に含まれている有害微生物を殺菌できるようにしたものである。
【特許文献１】特開平５−３２００１９号公報
【発明の開示】
【発明が解決しようとする課題】
【０００４】
しかしながら、この植物育成材を、上述の鉢の土に混ぜ入れることによって、土に含まれる有害な菌を殺菌できたとしても、弱っている根の根腐りを防止し、或いは、弱っている根から水を吸収し易くするようなことはできない。又、上記の場合と同様に、水と共に土や肥料が水受け用の皿に出て悪臭を放つとともに、室内の美観をも損なう。
【０００５】
本願発明は、吸着性のある植物用培土であって、根腐りを起こし難く、しかも、植物が活着し易い植物用培土及び植物栽培方法を提供することを目的とする。
【課題を解決するための手段】
【０００６】
本願発明は、次の特徴を有する植物用培土を提供することにより、上記課題を解決する。
【０００７】
本願の請求項１の植物用培土に係る発明は、粒状のゼオライトに、フミン酸を配合してなるものであることを特徴とするものである。
【０００８】
又、本願発明は、次の特徴を有する植物栽培方法を提供することにより、上記課題を解決する。
【０００９】
本願の請求項２の植物栽培方法に係る発明は、粒状のゼオライトとフミン酸とを配合してなる植物用培土に、植物を植えるとともに、イオン水を含む水を付与することを特徴とする方法である。
【００１０】
本願発明の植物用培土に用いるゼオライトは、結晶性のアルミケイサン塩で、微多孔性で弱アルカリ質のものであり、例えば図２に示すような組成を有するものである。このゼオライトは、イオン交換樹脂のような働きを示すイオン交換性、活性炭のような強力な吸着力の働きを示す天然の非金属鉱物であり、陽イオン交換容量（ＣＥＣ）としては通常５０〜２００ｍｅｇ/１００ｇの価を有する鉱物である。
【００１１】
ゼオライトとして、例えば硬質のクリノブチロライト、軟質のモルデナイトを例示でき、それらを単独又は併用できる。
【００１２】
又、粒状のゼオライトは、例えばゼオライトを含むゼオライト鉱石を粉砕し、所望の粒度のものを採取することにより得られる。又、このようにしてゼオライト鉱石を粉砕したものをそのまま使用できるが、焼成したゼオライトを使用することもできる。
【００１３】
燃成したゼオライトを得るには、次のようにする。例えば上述のようにゼオライトを含む鉱石を粉砕した後、５００°Ｃ程度で焼成する。焼成時間は、密閉炉で行なう場合は、２０分程度、オープン炉で行なう場合は３０分程度行なう。その後、粒度の分級を行ない、所望の粒度のものを得る。これにより、燃成した粒状のゼオライトを得ることができる。燃成したゼオライトは、孔に含まれた水分等が除去され、吸着能が向上しており、この点で燃成したゼオライトを用いるのが好ましい。
【００１４】
また、本願発明に用いるゼオライトは、粒径が０．５ｍｍ〜１０ｍｍ程度のものである。０．５ｍｍ以下になると通気性が悪くなり、１０ｍｍを超えると、植物の根が張りにくくなる恐れがある。好ましくは、１ｍｍ〜５ｍｍ程度のものである。
【００１５】
このようなゼオライトを培土に用いれば、塩基置換容量が極めて高いため、肥料の吸着力が大きくなり、肥料の流亡を防ぎ、長期間肥効を持続させることができる。また、アンモニアガスを吸着することもでき、例えば本願発明の植物用培土を収納し植物を育成する植物育成用容器として素焼きの鉢を使用した場合でも、その鉢から生じるアンモニアガスを吸着し、アンモニアガスによる臭気を抑えることができる。又、ゼオライトは、ＣＯ２を吸着し、空気を浄化できる。更には、ゼオライトは、多数の孔に水を吸って保水し得る保水性を有するとともに、水を活性化し、根腐りを防止できる等の効果を発揮できる。
【００１６】
フミン酸は、腐植酸とも呼ばれ、茶褐色等を呈する粉体である。このフミン酸は、古代海藻類、植物遺体が泥淡水と共に堆積し、細菌や微生物の働きにより分解や合成を重ねてできた天然物（腐植泥）として存在する。フミン酸の元素組成は、炭素、酸素、水素、窒素を主構成元素とし、硫黄、リン、多種の糖類、アミノ酸、ビタミン類、カルボン酸、ミネラル（例えば鉄、カルシウム、ナトリウム、マギネシウム、亜鉛、マンガン、銅など）等の栄養素を含んでいる。また、フミン酸は、エチレンガスを吸収する。従って、フミン酸は、植物の根腐りの防止に役立つ。特に、植物を移植した場合のように、根が弱りエチレンガスによって根腐りを起こし易い状態になっている場合に、エチレンガスによる根腐りを起こし難くできる。
【００１７】
このフミン酸は、次のようにして得ることができる。例えば上記腐植泥を圧搾することにより水分を除去する。更に電気炉で乾燥させることにより、含有水分量をほぼ１０重量％以下にする。そして、ふるいにかけて５０〜１００メッシュ程度の大きさからなる粉状のフミン酸を得る。
【００１８】
上記ゼオライトとフミン酸との配合割合は、９０重量％〜９７重量％のゼオライトに対してフミン酸がほぼ３重量％〜１０重量％である。フミン酸が３重量％以下では、植物への栄養素が少なくなるとともに、エチレンガスを吸収し難くなり、フミン酸を配合した効果が薄くなってしまう。一方、１０重量％を超えると、水抜き孔のある植物栽培用容器に植物用培土を入れて水をやった場合には、水抜き孔からフミン酸が水と共に流れ出る恐れが高くなり、又、水抜き孔の無い植物栽培用容器に植物用培土を入れて水をやった場合には、水によってフミン酸が植物栽培用容器の底部に泥状になってしまい、根腐りの原因になる恐れが生じる。
【００１９】
イオン水は、イオンが溶け込んだ水で、水分子の集合体であるクラスターが一般的な水道水よりも小さい水である。具体的には、水道水を電気分解して得られるアルカリイオン水、酸性イオン水を挙げることができる。アルカリイオン水と酸性イオン水とは、例えば植物の種類等に応じて選択して使用できる。例えば中性質を好む一般的な植物の場合には、上述のゼオライトは弱いアルカリ質のものであるため、通常は酸性イオン水を用いれば良い。一方、例えばサボテンのようにアルカリ質を好むような植物の場合には、アルカリイオン水を用いるようにすれば良い。
【００２０】
このイオン水を付与する量は、植物用培土が吸い取って植物栽培用容器の底部に溜まらない程度であればよい。
【００２１】
又、このイオン水は、単独で使用できるが、イオン水に、ミネラル或いは植物の栄養素等を含有させたものを使用できる。
【００２２】
例えば上記フミン酸の製造工程で腐植泥を圧搾して得た泥水を精製することにより、ミネラル等の含有した腐植泥精製水を製作する。そして、イオン水に、腐植泥精製水と、更に、植物の栄養素を含む竹搾液を配合することにより、ミネラルイオン水を製作し、これをイオン水として用いることができる。又、このミネラルイオン水におけるイオン水と腐植泥精製水と竹搾液との配合割合は、特に限定されないが、例えば体積比で、８２〜９３％のイオン水と、５〜１５％の腐植泥精製水と、２〜３％の植物の栄養素とから構成したものを例示できる。このようにしてイオン水に、腐植泥を圧搾して泥水を精製して得たミネラル等の含有した腐植泥精製水を配合することによって製作したミネラルイオン水を植物に付与することにより、植物に有益なミネラル等を供給できる。しかも、フミン酸の製造工程で得られるミネラル含有の泥水を、廃棄することなく有効利用でき、低コストで得ることができる。
【００２３】
尚、粒状のゼオライトとフミン酸とを配合してなる本願発明の植物用培土は、単独で使用できるが、この植物用培土に、少量の土、或いは窒素、リン酸、カリウム等の植物の栄養素等を適宜配合して使用できる。
【００２４】
又、植物用培土を、イオン水を含侵させた粒状のゼオライトと、フミン酸とを配合したものから構成しても良い。こうすることにより、植物栽培用容器に、植物用培土を用いて植物を植えれば良く、これにより、植物にイオン水を与えることができる。
【００２５】
また、イオン水は、イオン水に、腐植泥を搾って得た泥水を精製したミネラル等の含有した腐植泥精製水を配合したミネラルイオン水から構成したものを使用できる。
【００２６】
又、水抜き孔の有しない植物栽培用容器に、植物用培土を用いて植物を植えるとともに、イオン水を付与することにより植物を栽培できる。
【発明の効果】
【００２７】
本願の請求項１記載の植物用培土の発明は、粒状のゼオライトによって、通常の土よりも多くの量の水を吸着させて保水できる。これにより、例えば水抜き穴を有しないガラスコップ等を植物栽培用容器として使用する場合でも、植物栽培用容器の底部に水の溜まり難いものにでき、根腐りを防止できるとともに、従来の水抜き穴を有する素焼きの鉢を使用する場合のように、水受け用の皿を不要にでき、しかも、水受け用の皿に余剰の水と共に出た土や肥料によって悪臭を放つようなことを防止できる。又、カラフルな色のガラス容器などを使用することによって美観の良いものにできる。しかも、ＣＯ２を吸着し、空気を浄化できる。よって、室内で使用する植物用培土として適したものにできる。また、ゼオライトの吸着した水を適宜植物に補給できる。これにより、植物への水やりを、例えば一週間或いは１０日ごとに一回の割合で水遣りを行なえば良いものにでき、従来のように毎日の水遣りを不要にでき、水管理の容易なものにできる。
【００２８】
又、フミン酸によって、植物の育成に必要な栄養分を与えることができる。また、フミン酸が、エチレンガスを吸収するため、根腐りを防止できる。特に、移植した当初のように根が弱っている場合には、エチレンガスによって根腐りを起こし易いが、フミン酸によってエチレンガスによる根腐りを起こし難くできる。
【００２９】
本願の請求項２記載の植物栽培方法の発明は、一般的な水道水よりもクラスターの小さいイオン水を付与することによって、植物が水分を取り込み易いものにできる。これにより、移植した当初のように根が弱っている場合でも、水分を取り込んで枯れを防止できる。
【発明を実施するための最良の形態】
【００３０】
図１は、本願発明の一実施の形態の植物用培土を用いて植物を栽培している状態の断面説明図である。
【００３１】
まず、焼成したゼオライトの粒度の分級を行ない、粒径１ｍｍ程度の大きさの小径ゼオライトと、粒径３ｍｍ〜５ｍｍ程度の大きさの大径ゼオライトとの粒の大きさの異なる二種類のゼオライトを得る。
【００３２】
又、腐植泥を圧搾することにより水分を除去し、更に電気炉で乾燥させることにより、含有水分量をほぼ１０重量％以下にする。そして、ふるいにかけて１００メッシュ程度の大きさからなる粉状のフミン酸を得る。
【００３３】
一方、フミン酸の製造工程で腐植泥を圧搾して得た泥水を精製することによってミネラルの含有したＰＨ３．５程度の腐植泥精製水を製作する。そして、この腐植泥精製水１００ミリリットルと、２ミリリットルの竹搾液と、水道水を電気分解することによって生成した酸性イオン水１リットルとを配合する。これにより、図３に示すように、硝酸性窒素及び亜硝酸性窒素、種々のミネラル等の成分を含んだＰＨ４．１のミネラルイオン水を得る。
【００３４】
そして、図１に示すように大径ゼオライト１ｂ・・・１ｂを、水抜き用穴を有しない透明ガラス製の植物栽培用容器１０に、その植物栽培用容器１０の深さの１／３程度になるまで入れる。次に、その大径ゼオライト１ａ・・・１ａの中央部上に、フミン酸２を入れる。フミン酸２の量は、大径ゼオライト１ｂ・・・１ｂとフミン酸２とが重量比で１：０．１５程度の割合になるように入れる。
【００３５】
その後、植物として観葉植物２を、観葉植物２の根がフミン酸２の上側の近傍になるように配位させる。そして、その状態で、粒径１ｍｍ程度の大きさの小径ゼオライト１ａ・・・１ａを、植物栽培用容器１０に、ほぼ一杯になるまで入れる。より具体的には、大径ゼオライト１ｂ・・・１ｂと小径ゼオライト１ａ・・・１ａとが重量比で１：２程度の割合になるように入れる。従って、大径ゼオライト１ｂ・・・１ｂ及び小径ゼオライト１ａ・・・１ａから構成した全ゼオライトと、フミン酸２との配合割合は、重量比で１：０．０５程度である。
【００３６】
このようにして、粒径の異なる二種類のゼオライトの間にフミン酸２を配設することにより、茶褐色のフミン酸２を外部から見えなくできるとともに、粒径の異なる二種類のゼオライトによって美観のあるものにできる。しかも、観葉植物２の根がフミン酸２の近傍に配位させているため、フミン酸２から栄養素を取り易いものにできる。
【００３７】
尚、植物栽培用容器１０として不透明なものを用いる場合は、外部からゼオライト１の粒径の大きさやフミン酸２が見えないため、例えばゼオライト１を、粒径が同程度のものから構成したものを使用し、或いは、植物用培土を、ゼオライト１とフミン酸２とを攪拌してゼオライト１の全体にフミン酸２をほぼ均等に配設したものを使用しても良い。
【００３８】
そして、ミネラルイオン水を、植物栽培用容器１０の深さの７割程度になるまで入れる。これにより、フミン酸２に含まれた植物の栄養素或いはミネラル等の含有成分がミネラルイオン水に溶け出る。又、ミネラルイオン水は、小径ゼオライト１ａ・・・１ａ及び大径ゼオライト１ｂ・・・１ｂに吸着され、植物栽培用容器１０の底部に溜まるようなことがない。
【００３９】
この状態で、１０日程度放置する。その際、ミネラルイオン水は、小径ゼオライト１ａ・・・１ａ及び大径ゼオライト１ｂ・・・１ｂに吸着されて植物栽培用容器１０の底部に溜まっていないため、根腐りを起こすようなことを防止できる。又、エチレンガスが発生した場合でも、フミン酸２がエチレンガスを吸収する。これにより、移植によって根が弱りエチレンガスによる根腐りを起こし易い状態でも、根腐りを防止できる。
【００４０】
また、ミネラルイオン水のクラスターが小さいため、植物がミネラルイオン水を取り込み易いものにできる。これにより、移植によって根が弱っている場合でも、植物に容易に水分を取り込ませることができ、枯れを防止できる。
【００４１】
その後、１週間に１度程度の割で、少量のミネラルイオン水を与える。より具体的には、一般的なストロー１本分程度のミネラルイオン水を与え、或いは、霧吹きでミネラルイオン水を与えるようにする。
【００４２】
そして、１ケ月〜２ケ月経過し、根が活着した後は、水道水を、上記の量だけ与えるようにすれば良い。尚、根が活着した後も、ミネラルイオン水を与えるようにしても良い。
【００４３】
このようにして透明ガラス製の植物栽培用容器１０に植物用培土を用いて植物を植えるようにすれば、美観が優れ室内に置いて栽培するのに適する。例えば室内におけるパソコン等の横に置いておくことにより、目や心を癒すことができる。又、室内に置いて栽培することにより、植物用培土のゼオライトはＣＯ２を吸着して空気を浄化し、一方、植物は、マイナスイオン等を放出し、人々の健康の保持・増進に寄与できる。
【００４４】
尚、上記実施形態では、植物用培土１に植物３を植えた後、ミネラルイオン水を付与するようにしているが、植物３を植える前に植物用培土１にミネラルイオン水を付与し、ミネラルイオン水を吸着した植物用培土１に、植物３を植えるようにしても良い。
【図面の簡単な説明】
【００４５】
【図１】本願発明の一実施の形態の植物用培土に植物を植えた状態の断面説明図である。
【図２】ゼオライトの組成を示す図表である。
【図３】ミネラルイオン水の分析試験結果を示す図表である。
【符号の説明】
【００４６】
１    ゼオライト
１a    小径ゼオライト
１ｂ    大径ゼオライト
２    フミン酸
３    植物
特許出願人  有限会社神戸テクノ物産
出願人代理人  弁理士  田川  幸一
【図１】
2005269956.tif 000003
【図２】
2005269956.tif 000004
【図３】
2005269956.tif 000005